(57)【要約】【課題】段ボールのジッパを形成するとき、鉤刃により段山が潰れて段ボールの強度劣化の要因となる。【解決手段】段ボールのジッパを形成する鉤刃の２辺の内の１辺のみに刃を設ける。更に、ジッパの進行方向と平行でない辺に刃設ける。【特許請求の範囲】
【請求項１】
鉤刃の２辺の内１辺のみに刃を設けたことを特微とする段ボールのジッパを形成する鉤刃。
【請求項２】
ジッパの進行方向と平行でない辺に刃を設けたことを特微とする請求項１に記載の鉤刃。
【請求項３】
請求項１又は２に記載の鉤刃を使用してジッパを形成したことを特微とする段ボール。
【請求項４】
側板の中央より下に設けた舌片の外側の端部付近から側壁の中央付近に向けて、やや上方にジッパを形成したことを特微とする請求項３に記載の段ボール。
【請求項５】
請求項１又は２に記載の鉤刃を使用したことを特微とする段ボールのジッパを形成する装置。
【発明の詳細な説明】
【技術分野】この発明は周壁を切断して商品を陳列する切断陳列箱に関するものである。
【背景技術】一般に図−５に示すように周壁をなす各側板５１、５２から延出したフラップ５３、５４、で底面及び天面を閉止し周壁内面に切裂帯として貼着したカットテープ５５を始端切目５６から引っ張って周壁を切断すると、その切断縁の上方部分を除去した開梱状態で商品を陳列できる切断陳列箱が使用されている。またカットテープ５５に代えて周壁をなす段ボールの片面ライナに２本の並行する切目線を入れて切断帯を形成し、その切裂帯をカットテープ５５と同様に引っ張って開梱できるようにした切断陳列箱もある。
【発明を解決しようとする課題】
しかしながら上記のような切断陳列箱では、カットテープやライナカットにより形成した切裂帯を引っ張る際、手向きがよくないと、作業がやりにくく、開梱に手間取る場合がある。
また製造に際しカットテープの貼着やライナカットは段ボールの製造工程で行なわなければならず、この様な段ボールからブランクを形成する際無駄が生じて製造コストが高くなるという問題がある。そしてカットテープ及びライナカットに代るジッパーの活用には、ジッパ周辺の段山を潰し強度劣下の要因になっている。
【課題を解決するための手段】
上記課題を解決するために、次の構成を設けた。
鉤刃の２辺の内の１辺のみに刃を設けた段ボールジッパを形成する鉤刃である。
ジッパの進行方向と平行でない辺に刃を設けた鉤刃である。
前記鉤刃を使用してジッパを形成した段ボールである。
側板の中央より下に設けた舌片の外側の端部付近から側壁の中央に向けてやや上方にジッパを形成した段ボールである。
前記鉤刃を使用した段ボールのジッパを形成する装置である。
【発明を実施するための形態】
以下、この発明の実施の形態を添付図面に基づいて説明する。
この切断陳列箱は、図−１に示すような段ボール製のブランクから成り、このブランクでは、各一対の幅面及び長面の側板１、２、が交互に連設され一方の側板２の外縁には、継代３が連設されている。側板１、２の上・下縁には、フラップ４、５がそれぞれ連接されている。
側板１、２には舌片６が門形切目７を上向きに入れることにより形成され、舌片６の基端には、折目８が入れられている。
梱包時の破断を防止する撃部が数箇所に設けられている
また側板１には舌片６の両端部付近から側壁に向けてやや上方に側板２には各舌片６の外側の端部付近からそれぞれ鉤形の切目が断続するジッパ９が形成されている。
上記のようなブランクを組立てて、商品を梱包するには、図−２に示すように、各一対の側板１：２を角状に折り曲げ、継代３を反対側の側板１に貼り付けて周壁を形成し、フラップ４、５を内側へ折り曲げて底面及び天面を閉止する。
一方店頭において、この箱を開梱して商品を陳列する際には、図−３に示すように、切目７の端部を切断して舌片６を押し込むこのとき舌片６は折目８をヒンヂにして簡単に内側へ倒すことができる。
そして舌片６の抜出穴に手を入れ、切目７がなす抜出穴の上端部を引き上げてジッパ９を切断し、図−４に示すようにその上部部分を除去すると商品を露出させて陳列することができる。
このように上記切断箱は、各側板１、２の上部を舌片６の抜出穴から上方へ引き上げるだけで、手向きにかかわらず容易に開梱できるので店頭での陳列作業を能率的に行なうことができる。
また舌片６をこの実施形態のように上向きではなく、下向きに形成しても同様に開梱することができる。
またこの切断陳列箱は段ボールの製造工程でカットテープの貼着や、ライナカットを施す必要がなく、印刷や糊付を行うフレキソグルアのダイカッタ又はプラテン型（上・下運動ダイカッタ）を用いて製造できるため低コストで供給することができる
なおこの切断陳列箱のジッパ９において重量物を梱包して積み上げると周壁に座屈を生じやすい事から、従来のジッパでの製造方法を改善し、重量物包装に適する事が出来る。図−６に示すように従来製造するときに段ボールに従来鉤刃が喰い込んで離脱しないため、従来鉤刃の両端に弾力性の有するゴム１２を貼り、段ボールと従来ジッパを離脱させている。
その時にゴム１２に押され段ボールの段山が潰され、強度劣下の要因となっている。
従来の鉤刃は２辺の切刃よりなっているが、本発明の鉤刃は図−８に示す２片のうち１辺の切刃を切除く（テーパー状、平行）又は切欠部をすることにより、切刃のない部分は無理に段ボールを押し切り
2010264741.tif 000002
量も減り段山を潰すこともなく強度劣下を防ぐことが出来る。
【発明の効果】
以上のようにこの発明に係る切断陳列箱は周壁をなす各側板に門形を入れて舌片を形成すると共に、その端部付近から側壁の中央付近に向けてやや上方に鉤形の切れ目が断続する鉤刃を改善し段ボールの段山を潰さず強度劣下を防ぎ重量物包装に適し、陳列時には、舌片を押し込んでその抜出片の上縁部を引き上げるだけで容易に開梱できる。
【図面の簡単な説明】
【図−１】この発明の実施形態に係る切段陳列箱のブランクを示す図
【図−２】同上の梱包状態を示す斜視図
【図−３】同上の開梱過程を示す斜視図
【図−４】同上の開梱状態を示す斜視図
【図−５】従来の切断陳列箱を示す斜視図
【符号の説明】１、２  側板        ７      切目
３      継代        ８      折目
４、５  フラツプ    ９      ジッパ
６      舌片
【図−１】
2010264741.tif 000003
【図−２】
2010264741.tif 000004
【図−３】
2010264741.tif 000005
【図−４】
2010264741.tif 000006
【図−５】
2010264741.tif 000007
【図−６】
2010264741.tif 000008
【図−７】
2010264741.tif 000009
【図−８】
2010264741.tif 000010
【手続補正書】
【提出日】平成21年8月21日(2009.8.21)
【手続補正１】
【補正対象書類名】明細書
【補正対象項目名】全文
【補正方法】変更
【補正の内容】
【発明の詳細な説明】
【技術分野】
【０００１】この発明は周壁を切断して商品を陳列する切断陳列箱に関するものである。
【背景技術】
【０００２】一般に図−５に示すように周壁をなす各側板５１、５２から廷出したフラップ５３、５４、で底面及び天面を閉止し周壁内面に切裂帯として貼着したカットテープ５５を始端切目５６から引っ張って周壁を切断すると、その切断縁の上方部分を除去した開梱状態で商品を陳列できる切断陳列箱が使用されている。またカットテープ５５に代えて周壁をなす段ボールの片面ライナに２本の並行する切目線を入れて切断帯を形成し、その切裂帯をカットテープ５５と同様に引張って開梱できるようにした切断陳列箱もある。
【発明を解決しようとする課題】
【０００３】しかしながら上記のような切断陳列箱ではカットテープやライナカットにより形成した切裂帯を引っ張る際手向きがよくないと、作業がやりにくく、開梱に手間取る場合がある。
また製造に際し、カットテープの貼着や、ライナカットは段ボールの製造工程で行なわなければならずこの様な段ボールからブランクを形成する際無駄が生じて製造コストが高くなるという問題がある。そしてカットテープ及びライナカットに代るジッパーの活用にはジッパー周辺の段山を潰し強度劣下の要因になっている。
【課題を解決する手段】
【０００４】上記課題を解決するために、次の構成を設けた。
鉤刃の２辺の内の１辺のみに刃を設けた段ボールジッパを形成する鉤刃である。
ジッパの進行方向と平行でない辺に刃を設けた鉤刃である。
前記鉤刃を使用してジッパを形成した段ボールである。
側板の中央より下に設けた舌片の外側の端部付近から側板の中央に向けてやや上方にジッパを形成した段ボールである。
前記鉤刃を使用した段ボールのジッパを形成する装置である。
【発明を実施するための形態】
【０００５】以下この発明の実施の形態を添付図面に基づいて説明する。
この切断陳列箱は図−１に示す様な段ボール製のブランクから成り、このブランクでは各一対の巾面及び長面の側板１、２が交互に連設され一方の側板２の外縁には継代３が連設されている。側板１、２の上・下縁にはフラップ４、５、がそれぞれ連設されている。
【０００６】側板１、２には舌片６が門形切目７を上向きに入れることにより形成され舌片６の基端には折目８が入れられている。
梱包時の破断を防止する撃部が数箇所に設けられている。
【０００７】また側板１には舌片６の両端部付近から側壁に向けてやや上方に側板２には各舌片６の外側の端部付近からそれぞれ鉤形の切目が断続するジッパ９が形成されている。
【０００８】上記のようなブランクを組立てて、商品を梱包するには図−２に示すように各一対の側板１、２、を角状に折り曲げ継代３を反対側の側板１に貼り付けて周壁を形成し、フラップ４、５を内側へ折り曲げて底面及び天面を閉止する。
【０００９】一方店頭において、この箱を開梱して商品を陳列する際には図−３に示すように切目７の端部を切断して舌片６を押し込むこのとき舌片６は折目８をヒンヂにして簡単に内側へ倒すことができる。
【００１０】そして舌片６の抜出穴に手を入れ切目７がなす抜出穴の上端部を引き上げてジッパ９を切断し図−４に示すように、その上部部分を除去すると商品を露出させて陳列することができる。
【００１１】このように上記切断箱は各側板１、２の上部を舌片６の抜出穴から上方へ引き上げるだけで手向きにかかわらず容易に開梱できるので店頭での陳列作業を能率的に行なうことができる。
【００１２】また舌片６をこの実施形態のように上向きではなく、下向きに形成しても同様に開梱することができる。
【００１３】またこの切断陳列箱は段ボールの製造工程でカットテープの貼着やライナカットを施す必要がなく、印刷や糊付を行なうフレキソグルアのダイカッタ又はプラテン型（上・下運動ダイカッタ）を用いて製造できるため低コストで供給することができる。
【００１４】なおこの切断陳列箱のジッパ９において重量物を梱包して積み上げると周壁に座屈を生じやすい事から、従来のジッパでの製造方法を改善し、重量物包装に適する事が出来る。図−６に示すように従来製造するときに段ボールに従来鉤刃が喰い込んで離脱しないため、従来鉤刃の両端に弾力性の有するゴム１２を貼り、段ボールと従来ジッパを離脱させている。
【００１５】その時にゴム１２に押され段ボールの段山が潰され強度劣下の要因となっている。
【００１６】従来の鉤刃は２辺の切刃よりなっているが、本発明の鉤刃は図−８に示す２辺のうち１辺の切刃を切除く（テーパー状、平行）又は切欠部をすることにより切刃のない部分は無理に段ボールを押し切り反撥により段ボールと本発明ジッパが離脱し図−７のようにゴム１２の量も減り段山を潰すことなく強度劣下を防ぐことが出来る。
【発明の効果】
【００１７】以上のように、この発明に係る切断陳列箱は周壁をなす各側板に門形を入れて舌片を形成すると共に、その端部付近から側壁の中央付近に向けて、やや上方に鉤形の切れ目が断続する鉤刃を改善し、段ボールの段山を潰さず強度劣下を防ぎ重量物包装に適し、陳列時には舌片を押し込んで、その抜出片の上縁部を引き上げるだけで容易に開梱できる。
【図面の簡単な説明】
【００１８】
【図−１】この発明の実施形態に係る切断陳列箱のブランクを示す図
【図−２】同上の梱包状態を示す斜視図
【図−３】同上の開梱過程を示す斜視図
【図−４】同上の開梱状態を示す斜視図
【図−５】従来の切断陳列箱を示す斜視図
【図−６】従来の鉤刃とゴムの関係を示す斜視図
【図−７】この発明の鉤刃とゴムの関係を示す斜視図
【図−８】この発明の鉤刃の斜視図